(57)【要約】【課題】機能の設定又は実行指示の入力を行う際の操作性を向上させることが可能な画像処理装置、表示入力装置、及び処理実行方法を提供すること。【解決手段】画像処理装置は、表示面６１１に初期アイコンＡ１１〜Ａ１５を含む初期画面Ｇ１０を表示する第１表示処理部と、初期画面Ｇ１０において初期アイコンＡ１１〜Ａ１５に対する接触による操作を検出する検出処理部と、初期アイコンＡ１１〜Ａ１５に対する接触による操作が検出された場合に、表示面６１１とユーザーの指Ｆとの接触位置を特定位置Ｇ１１〜Ｇ１４に移動させる移動操作が行われたか否かを判定する判定処理部と、移動操作が行われたと判定された場合に、接触位置が移動された特定位置に対応する特定処理を実行する処理実行部と、を備える。【選択図】図８
2017157118.tif 000002
【特許請求の範囲】
【請求項１】
表示面を有する表示部と、
前記表示部に自装置の機能の設定に関する初期アイコンを含む初期画面を表示する第１表示処理部と、
前記表示面に表示された前記初期画面において前記初期アイコンに対する接触による操作を検出する検出処理部と、
前記検出処理部によって前記初期アイコンに対する接触による操作が検出された場合に、前記表示面との接触位置を前記初期画面における予め定められた特定位置に移動させる移動操作が行われたか否かを判定する判定処理部と、
前記判定処理部によって前記移動操作が行われたと判定された場合に、前記接触位置が移動された前記特定位置に対応する特定処理を実行する処理実行部と、
を備える画像処理装置。
【請求項２】
前記初期アイコンに対する接触による操作が予め定められた基準時間を超えて継続した場合に、前記初期画面に前記特定位置を視認可能に表示する第２表示処理部を更に備える請求項１に記載の画像処理装置。
【請求項３】
前記第２表示処理部は、前記初期画面に前記特定位置を視認可能に表示すると共に、前記特定位置に対応する前記特定処理を識別可能な処理識別情報を前記特定位置に表示する請求項２に記載の画像処理装置。
【請求項４】
前記初期画面は、複数の前記特定位置を含み、
前記画像処理装置は、
前記処理実行部によって前記特定処理が実行された場合に、実行された前記特定処理に対応する前記特定位置とは異なる他の前記特定位置に対応する前記特定処理を実行された前記特定処理に関連する処理に切り替える切替処理部を更に備える請求項１〜３のいずれかに記載の画像処理装置。
【請求項５】
前記特定位置は、前記初期画面の縁部に隣接して設けられた特定領域内の位置である請求項１〜４のいずれかに記載の画像処理装置。
【請求項６】
表示面を有する表示部と、
前記表示部に画像処理装置の機能の設定に関する初期アイコンを含む初期画面を表示する第１表示処理部と、
前記表示面に表示された前記初期画面において前記初期アイコンに対する接触による操作を検出する検出処理部と、
前記検出処理部によって前記初期アイコンに対する接触による操作が検出された場合に、前記表示面との接触位置を前記初期画面における予め定められた特定位置に移動させる移動操作が行われたか否かを判定する判定処理部と、
前記判定処理部によって前記移動操作が行われたと判定された場合に、前記接触位置が移動された前記特定位置に対応する特定処理を実行する処理実行部と、
を備える表示入力装置。
【請求項７】
表示面を有する表示部を備える画像処理装置で実行される処理実行方法であって、
前記表示部に前記画像処理装置の機能の設定に関する初期アイコンを含む初期画面を表示する第１ステップと、
前記表示面に表示された前記初期画面において前記初期アイコンに対する接触による操作を検出する第２ステップと、
前記第２ステップによって前記初期アイコンに対する接触による操作が検出された場合に、前記表示面との接触位置を前記初期画面における予め定められた特定位置に移動させる移動操作が行われたか否かを判定する第３ステップと、
前記第３ステップによって前記移動操作が行われたと判定された場合に、前記接触位置が移動された前記特定位置に対応する特定処理を実行する第４ステップと、
を含む処理実行方法。
【発明の詳細な説明】
【技術分野】
【０００１】
本発明は、画像処理装置、画像処理装置に設けられる表示入力装置、及び画像処理装置で実行される処理実行方法に関する。
【背景技術】
【０００２】
複合機のような画像処理装置は、コピー機能、スキャン機能などの複数の機能を備える。また、画像処理装置には、液晶ディスプレーなどの表示部、及びタッチパネルなどの操作検出部を備える表示入力装置（例えば、特許文献１参照）が設けられることがある。
【０００３】
この種の画像処理装置では、自装置の機能に対応する初期アイコンを含む初期画面が表示部に表示される。ユーザーは、初期画面において特定の初期アイコンをタッチ操作して選択すると、その初期アイコンの機能に関する設定画面が表示される。例えば、ユーザーによって初期画面に表示されたコピー機能に対応する初期アイコンが操作されると、初期画面が消えて、コピー機能の設定画面が表示される。コピー機能の設定画面では、コピー機能に関する各種の設定項目の設定を行うことが可能である。また、コピー機能の設定画面では、コピー機能の実行指示を入力することが可能である。
【先行技術文献】
【特許文献】
【０００４】
【特許文献１】特開２０１３−８４２６０号公報
【発明の概要】
【発明が解決しようとする課題】
【０００５】
しかしながら、印刷部数のような基本的な設定項目だけの設定を所望するユーザーは、所望する設定項目とは無関係の設定項目を多く含む設定画面を使いにくいと感じることがある。また、複雑な操作を苦手とするユーザーは、設定画面を経由して行われる機能の実行指示の入力操作を複雑に感じることがある。
【０００６】
本発明の目的は、機能の設定又は実行指示の入力を行う際の操作性を向上させることが可能な画像処理装置、表示入力装置、及び処理実行方法を提供することにある。
【課題を解決するための手段】
【０００７】
本発明の一の局面に係る画像処理装置は、表示部と、第１表示処理部と、検出処理部と、判定処理部と、処理実行部とを備える。前記表示部は、表示面を有する。前記第１表示処理部は、前記表示部に自装置の機能の設定に関する初期アイコンを含む初期画面を表示する。前記検出処理部は、前記表示面に表示された前記初期画面において前記初期アイコンに対する接触による操作を検出する。前記判定処理部は、前記検出処理部によって前記初期アイコンに対する接触による操作が検出された場合に、前記表示面との接触位置を前記初期画面における予め定められた特定位置に移動させる移動操作が行われたか否かを判定する。前記処理実行部は、前記判定処理部によって前記移動操作が行われたと判定された場合に、前記接触位置が移動された前記特定位置に対応する特定処理を実行する。
【０００８】
本発明の他の局面に係る表示入力装置は、表示部と、第１表示処理部と、検出処理部と、判定処理部と、処理実行部とを備える。前記表示部は、表示面を有する。前記第１表示処理部は、前記表示部に画像処理装置の機能の設定に関する初期アイコンを含む初期画面を表示する。前記検出処理部は、前記表示面に表示された前記初期画面において前記初期アイコンに対する接触による操作を検出する。前記判定処理部は、前記検出処理部によって前記初期アイコンに対する接触による操作が検出された場合に、前記表示面との接触位置を前記初期画面における予め定められた特定位置に移動させる移動操作が行われたか否かを判定する。前記処理実行部は、前記判定処理部によって前記移動操作が行われたと判定された場合に、前記接触位置が移動された前記特定位置に対応する特定処理を実行する。
【０００９】
本発明の他の局面に係る処理実行方法は、表示面を有する表示部を備える画像処理装置で実行され、以下の第１ステップ、第２ステップ、第３ステップ、及び第４ステップを含む。前記第１ステップでは、前記表示部に前記画像処理装置の機能の設定に関する初期アイコンを含む初期画面が表示される。前記第２ステップでは、前記表示面に表示された前記初期画面において前記初期アイコンに対する接触による操作が検出される。前記第３ステップでは、前記第２ステップによって前記初期アイコンに対する接触による操作が検出された場合に、前記表示面との接触位置を前記初期画面における予め定められた特定位置に移動させる移動操作が行われたか否かが判定される。前記第４ステップでは、前記第３ステップによって前記移動操作が行われたと判定された場合に、前記接触位置が移動された前記特定位置に対応する特定処理が実行される。
【発明の効果】
【００１０】
本発明によれば、機能の設定又は実行指示の入力を行う際の操作性を向上させることが可能である。
【図面の簡単な説明】
【００１１】
【図１】図１は、本発明の実施形態に係る画像処理装置の構成を示す図である。
【図２】図２は、本発明の実施形態に係る画像処理装置のシステム構成を示すブロック図である。
【図３】図３は、本発明の実施形態に係る画像処理装置の操作表示部の構成を示す図である。
【図４】図４は、本発明の実施形態に係る画像処理装置の表示部に表示される初期画面の一例を示す図である。
【図５】図５は、本発明の実施形態に係る画像処理装置の表示部に表示される初期画面の一例を示す図である。
【図６】図６は、本発明の実施形態に係る画像処理装置で実行される機能設定処理の一例を示すフローチャートである。
【図７】図７は、本発明の実施形態に係る画像処理装置の表示部へのユーザーの操作の一例を示す図である。
【図８】図８は、本発明の実施形態に係る画像処理装置の表示部へのユーザーの操作の一例を示す図である。
【図９】図９は、本発明の実施形態に係る画像処理装置の表示部へのユーザーの操作の一例を示す図である。
【図１０】図１０は、本発明の実施形態に係る画像処理装置の表示部へのユーザーの操作の一例を示す図である。
【図１１】図１１は、本発明の実施形態に係る画像処理装置の表示部へのユーザーの操作の一例を示す図である。
【発明を実施するための形態】
【００１２】
以下、添付図面を参照しながら、本発明の実施形態について説明する。なお、以下の実施形態は、本発明を具体化した一例であって、本発明の技術的範囲を限定するものではない。
【００１３】
［画像処理装置１０の構成］
まず、図１〜図３を参照しつつ、本発明の実施形態に係る画像処理装置１０の構成について説明する。ここで、図１は画像処理装置１０の構成を示す断面模式図である。また、図３は操作表示部６の構成を示す平面模式図である。
【００１４】
画像処理装置１０は、原稿から画像データを読み取るスキャン機能、及び画像データに基づいて画像を形成するプリント機能と共に、コピー機能、画像データ送信機能、ボックス機能、及び外部メモリー機能などの複数の機能を有する複合機である。また、本発明は、スキャナー装置、プリンター装置、ファクシミリ装置、及びコピー機などの画像処理装置に適用可能である。
【００１５】
図１及び図２に示されるように、画像処理装置１０は、ＡＤＦ（自動原稿搬送装置）１、画像読取部２、画像形成部３、給紙部４、制御部５、操作表示部６、記憶部７、及び接続部８を備える。
【００１６】
ＡＤＦ１は、原稿セット部、複数の搬送ローラー、原稿押さえ、及び排紙部を備え、画像読取部２によって読み取られる原稿を搬送する。画像読取部２は、原稿台、光源、複数のミラー、光学レンズ、及びＣＣＤを備え、原稿から画像データを読み取ることが可能である。
【００１７】
画像形成部３は、画像読取部２で読み取られた画像データに基づいて、電子写真方式でカラー又はモノクロの画像を形成することが可能である。また、画像形成部３は、外部のパーソナルコンピューター等の情報処理装置から入力された画像データに基づいて、画像を形成することも可能である。具体的に、画像形成部３は、Ｃ（シアン）、Ｍ（マゼンタ）、Ｙ（イエロー）、及びＫ（ブラック）に対応する複数の画像形成ユニット、光走査装置、中間転写ベルト、二次転写ローラー、定着装置、及び排紙トレイを備える。給紙部４は、画像形成部３にシートを供給する。画像形成部３では、給紙部４から供給されるシートにカラー又はモノクロの画像が形成されて、画像形成後のシートが前記排紙トレイに排出される。なお、画像形成部３は、インクジェット方式などの他の画像形成方式により画像を形成するものであってもよい。
【００１８】
制御部５は、不図示のＣＰＵ、ＲＯＭ、ＲＡＭ、及びＥＥＰＲＯＭ（登録商標）などの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶媒体である。前記ＲＡＭは揮発性の記憶媒体であり、前記ＥＥＰＲＯＭは不揮発性の記憶媒体である。前記ＲＡＭ及び前記ＥＥＰＲＯＭは、前記ＣＰＵが実行する各種の処理の一時記憶メモリー（作業領域）として使用される。制御部５では、前記ＣＰＵにより前記ＲＯＭに予め記憶された各種の制御プログラムが実行される。これにより、画像処理装置１０が制御部５により統括的に制御される。なお、制御部５は、集積回路（ＡＳＩＣ）などの電子回路で構成されたものであってもよく、画像処理装置１０を統括的に制御するメイン制御部とは別に設けられた制御部であってもよい。
【００１９】
記憶部７は、ＳＳＤ（ソリッドステートドライブ）又はＨＤＤ（ハードディスクドライブ）などの記憶装置である。例えば、記憶部７には、画像読取部２によって読み取られた画像データが記憶される。なお、記憶部７は、制御部５の前記ＥＥＰＲＯＭ等であってもよい。
【００２０】
記憶部７は、画像処理装置１０にログイン可能なユーザー各々に対応する複数の記憶領域を有する。ユーザーは、画像処理装置１０にログインすることで、自身に割り当てられた前記記憶領域を利用することが可能である。例えば、ユーザーは、自身に割り当てられた前記記憶領域に画像読取部２によって読み取られた画像データを格納することが可能である。また、ユーザーは、自身に割り当てられた前記記憶領域に格納されている画像データを印刷することが可能である。
【００２１】
接続部８は、ＵＳＢ規格に基づいてデータの入出力が可能な外部の電子機器が接続されるＵＳＢ接続端子を有する。例えば、接続部８には、ＵＳＢ規格に基づいてデータの書き込み及び読み出しが可能な外部記憶装置８１が接続される。例えば、外部記憶装置８１はＵＳＢメモリーである。なお、図２では、画像処理装置１０の構成要素ではない外部記憶装置８１が破線で記載されている。
【００２２】
操作表示部６は、画像処理装置１０におけるユーザーインターフェイスである。図２及び図３に示されるように、操作表示部６は、表示部６１、操作検出部６２、及びハードキー６３を備える。
【００２３】
表示部６１は、制御部５からの制御指示に応じて各種の情報を表示する。例えば、表示部６１は液晶ディスプレーである。図３に示されるように、表示部６１は、画面が表示される表示面６１１を有する。
【００２４】
操作検出部６２は、表示部６１へのユーザーの操作を検出することが可能な所謂タッチパネルである。例えば、操作検出部６２は、静電容量方式によりユーザーの指が表示面６１１に接触した場合におけるユーザーの指と表示面６１１との接触位置を検出する。なお、操作検出部６２は、抵抗膜方式など、他の検出方式を用いてユーザーの指と表示面６１１との接触を検出してもよい。また、操作検出部６２は、表示部６１へのタッチペンによる操作を検出可能であってもよい。
【００２５】
ハードキー６３は、ユーザーの操作に応じて制御部５に各種の情報を入力する。例えば、図３に示されるように、ハードキー６３は、電源キー６３１を含む。
【００２６】
電源キー６３１は、画像処理装置１０の各部への給電の制御に用いられる。例えば、画像処理装置１０では、電源キー６３１の操作により、画像処理装置１０の動作モードが通常モードとスリープモードとの間で切り替えられる。例えば、画像処理装置１０では、電源キー６３１の操作により前記動作モードが前記通常モードから前記スリープモードに切り替えられた場合に、画像形成部３及び操作表示部６等への給電が停止される。また、画像処理装置１０では、電源キー６３１の操作により前記動作モードが前記スリープモードから前記通常モードに切り替えられた場合に、画像形成部３及び操作表示部６等への給電が再開される。この場合、前記コピー機能、及び前記スキャン機能などの画像処理装置１０で行われる画像処理に関する機能の選択に用いられる初期画面が表示部６１の表示面６１１に表示される。画像処理装置１０では、前記初期画面が操作されて、画像処理装置１０が有する複数の機能からユーザーが実行を所望する機能が選択される。
【００２７】
ここで、表示面６１１に表示される前記初期画面の一例を図４に示す。図４に示される初期画面Ｇ１０は、画像処理装置１０の機能の設定に関する複数の初期アイコン画像Ａ１１〜Ａ１５（以下、単に「初期アイコン」と略称する。）を含む。
【００２８】
初期アイコンＡ１１は、前記コピー機能の選択に用いられる画像である。例えば、画像処理装置１０では、初期アイコンＡ１１が操作された場合に、表示面６１１に前記コピー機能の設定に用いられるコピー設定画面が表示される。ユーザーは、表示面６１１に表示された前記コピー設定画面において、前記コピー機能に関する各種の設定を行うことが可能である。また、前記コピー設定画面には、前記コピー機能の実行指示の入力に用いられるアイコンが表示される。ユーザーは、前記コピー設定画面に表示される前記コピー機能の実行指示の入力に用いられるアイコンを操作することで、画像処理装置１０に前記コピー機能を実行させることが可能である。
【００２９】
初期アイコンＡ１２は、前記画像データ送信機能の選択に用いられるアイコンである。ここで、前記画像データ送信機能は、画像データを予め定められた出力先に送信する機能である。例えば、前記画像データ送信機能は、画像データをファクシミリ送信するファクシミリ機能、及び画像データを外部の情報処理装置又は外部記憶装置８１に送信する機能を含む。画像処理装置１０では、初期アイコンＡ１２が操作された場合に、表示面６１１に前記画像データ送信機能の設定に用いられる送信設定画面が表示される。ユーザーは、表示面６１１に表示された前記送信設定画面において、前記画像データ送信機能に関する各種の設定を行うことが可能である。また、前記送信設定画面には、前記画像データ送信機能の実行指示の入力に用いられるアイコンが表示される。ユーザーは、前記送信設定画面に表示される前記画像データ送信機能の実行指示の入力に用いられるアイコンを操作することで、画像処理装置１０に前記画像データ送信機能を実行させることが可能である。
【００３０】
初期アイコンＡ１３は、前記スキャン機能の選択に用いられるアイコンである。例えば、画像処理装置１０では、初期アイコンＡ１３が操作された場合に、表示面６１１に前記スキャン機能の設定に用いられるスキャン設定画面が表示される。ユーザーは、表示面６１１に表示された前記スキャン設定画面において、前記スキャン機能に関する各種の設定を行うことが可能である。また、前記スキャン設定画面には、前記スキャン機能の実行指示の入力に用いられるアイコンが表示される。ユーザーは、前記スキャン設定画面に表示される前記スキャン機能の実行指示の入力に用いられるアイコンを操作することで、画像処理装置１０に前記スキャン機能を実行させることが可能である。
【００３１】
初期アイコンＡ１４は、前記ボックス機能の選択に用いられるアイコンである。ここで、前記ボックス機能は、画像処理装置１０にログインしているユーザーに対応する記憶部７の前記記憶領域（以下、ボックスと称する。）に格納されている画像データを印刷、又は予め定められた出力先に送信する機能である。例えば、画像処理装置１０では、初期アイコンＡ１４が操作された場合に、表示面６１１に前記ボックスに格納されている画像データからの出力対象となる画像データの選択に用いられる第１選択画面が表示される。また、画像処理装置１０では、前記第１選択画面で出力対象となる画像データが選択された場合に、表示面６１１に前記ボックス機能の設定に用いられるボックス設定画面が表示される。ユーザーは、表示面６１１に表示された前記ボックス設定画面において、前記ボックス機能に関する各種の設定を行うことが可能である。また、前記ボックス設定画面には、前記ボックス機能の実行指示の入力に用いられるアイコンが表示される。ユーザーは、前記ボックス設定画面に表示される前記ボックス機能の実行指示の入力に用いられるアイコンを操作することで、画像処理装置１０に前記ボックス機能を実行させることが可能である。
【００３２】
初期アイコンＡ１５は、外部メモリー機能の選択に用いられるアイコンである。ここで、前記外部メモリー機能は、外部記憶装置８１に格納されている画像データを印刷、又は予め定められた出力先に送信する機能である。例えば、画像処理装置１０では、初期アイコンＡ１５が操作された場合、又は接続部８に外部記憶装置８１が接続された場合に、表示面６１１に外部記憶装置８１に格納されている画像データからの出力対象となる画像データの選択に用いられる第２選択画面が表示される。また、画像処理装置１０では、前記第２選択画面で出力対象となる画像データが選択された場合に、表示面６１１に前記外部メモリー機能の設定に用いられる外部メモリー設定画面が表示される。ユーザーは、表示面６１１に表示された前記外部メモリー設定画面において、前記外部メモリー機能に関する各種の設定を行うことが可能である。また、前記外部メモリー設定画面には、前記外部メモリー機能の実行指示の入力に用いられるアイコンが表示される。ユーザーは、前記外部メモリー設定画面に表示される前記外部メモリー機能の実行指示の入力に用いられるアイコンを操作することで、画像処理装置１０に前記外部メモリー機能を実行させることが可能である。
【００３３】
ここで、表示面６１１に表示される前記第２選択画面の一例を図５に示す。図５に示される第２選択画面Ｇ２０は、外部記憶装置８１に格納されている画像データを示す複数のアイコンＡ２１〜Ａ２６を含む。第２選択画面Ｇ２０でアイコンＡ２１〜Ａ２６のいずれかが操作されると、操作されたアイコンに対応する画像データが前記外部メモリー機能による出力対象に設定されると共に、表示面６１１に前記外部メモリー設定画面が表示される。
【００３４】
ところで、印刷部数のような基本的な設定項目だけの設定を所望するユーザーは、所望する設定項目とは無関係の設定項目を多く含む設定画面を使いにくいと感じることがある。また、複雑な操作を苦手とするユーザーは、設定画面を経由して行われる機能の実行指示の入力操作を複雑に感じることがある。
【００３５】
これに対し、本発明の実施形態に係る画像処理装置１０では、以下に説明するように、機能の設定又は実行指示の入力を行う際の操作性を向上させることが可能である。
【００３６】
具体的に、制御部５の前記ＲＯＭには、前記ＣＰＵに後述の機能設定処理（図６のフローチャート参照）を実行させるための機能設定プログラムが予め記憶されている。なお、前記機能設定プログラムは、ＣＤ、ＤＶＤ、フラッシュメモリーなどのコンピューター読み取り可能な記録媒体に記録されており、前記記録媒体から読み取られて制御部５の前記ＥＥＰＲＯＭ等にインストールされるものであってもよい。
【００３７】
そして、制御部５は、図２に示されるように、第１表示処理部５１、検出処理部５２、第２表示処理部５３、判定処理部５４、処理実行部５５、及び切替処理部５６を含む。具体的に、制御部５は、前記ＣＰＵを用いて前記ＲＯＭに記憶されている前記機能設定プログラムを実行する。これにより、制御部５は、第１表示処理部５１、検出処理部５２、第２表示処理部５３、判定処理部５４、処理実行部５５、及び切替処理部５６として機能する。ここに、制御部５及び操作表示部６を備える装置が、本発明における表示入力装置の一例である。
【００３８】
第１表示処理部５１は、表示部６１の表示面６１１に画像処理装置１０の機能の設定に関する初期アイコンを含む初期画面を表示する。
【００３９】
例えば、第１表示処理部５１は、電源キー６３１の操作により前記動作モードが前記スリープモードから前記通常モードに切り替えられた場合に、表示面６１１に初期アイコンＡ１１〜Ａ１５を含む初期画面Ｇ１０（図４参照）を表示する。
【００４０】
また、第１表示処理部５１は、初期画面Ｇ１０において初期アイコンＡ１５が操作された場合、又は接続部８への外部記憶装置８１の接続が検出された場合に、表示面６１１にアイコンＡ２１〜Ａ２６を含む第２選択画面Ｇ２０（図５参照）を表示する。ここに、初期画面Ｇ１０、及び第２選択画面Ｇ２０が、本発明における初期画面の一例である。また、初期アイコンＡ１１〜Ａ１５、及びアイコンＡ２１〜Ａ２６が、本発明における初期アイコンの一例である。
【００４１】
検出処理部５２は、表示面６１１に表示された前記初期画面において前記初期アイコンに対する接触による操作を検出する。ここで、前記初期アイコンに対する接触による操作とは、表示面６１１における前記初期アイコンの表示位置にユーザーの指を接触させる操作である。
【００４２】
具体的に、検出処理部５２は、操作検出部６２によるユーザーの指と表示面６１１との接触の有無及び接触位置の検出結果に基づいて、前記初期アイコンに対する接触による操作を検出する。
【００４３】
判定処理部５４は、検出処理部５２によって前記初期アイコンに対する接触による操作が検出された場合に、ユーザーの指と表示面６１１との接触位置を前記初期画面における予め定められた特定位置に移動させる移動操作が行われたか否かを判定する。即ち、前記移動操作は、ユーザーが、表示面６１１における前記初期アイコンの表示位置に接触させた状態の指を、表示面６１１に接触したままの状態で表示面６１１上をスライド移動（ドラッグ）させて、その指を前記特定位置まで移動させる操作である。
【００４４】
例えば、前記特定位置は、前記初期画面の縁部に隣接して設けられた特定領域内の位置である。例えば、図４に示される初期画面Ｇ１０は、初期画面Ｇ１０の縁部に隣接して設けられた四つの特定領域Ｇ１１〜Ｇ１４を有する。また、図５に示される第２選択画面Ｇ２０は、第２選択画面Ｇ２０の縁部に隣接して設けられた四つの特定領域Ｇ２１〜Ｇ２４を有する。なお、図４及び図５では、特定領域Ｇ１１〜Ｇ１４及び特定領域Ｇ２１〜Ｇ２４が二点鎖線によって示されている。
【００４５】
なお、前記特定位置は、前記初期画面における任意の位置であってよい。また、前記初期画面に設けられる前記特定位置の数は、一つであってもよく、三つ以下又は五つ以上であってもよい。
【００４６】
具体的に、判定処理部５４は、操作検出部６２によるユーザーの指と表示面６１１との接触の有無及び接触位置の検出結果に基づいて、前記移動操作が行われたか否かを判断する。例えば、判定処理部５４は、操作検出部６２によってユーザーの指の前記特定位置への移動が検出される前に、操作検出部６２によってユーザーの指の表示面６１１からの離間が検出された場合は、前記移動操作が行われなかったと判断する。
【００４７】
第２表示処理部５３は、前記初期アイコンに対する接触による操作が予め定められた基準時間を超えて継続した場合に、前記初期画面に前記特定位置を視認可能に表示する。
【００４８】
具体的に、第２表示処理部５３は、操作検出部６２によるユーザーの指と表示面６１１との接触の有無及び接触位置の検出結果に基づいて、前記初期アイコンに対する接触による操作が前記基準時間を超えて継続したか否かを判断する。例えば、前記基準時間は１秒又は２秒である。例えば、第２表示処理部５３は、前記基準時間が経過する前に、操作検出部６２によってユーザーの指の表示面６１１からの離間、又はユーザーの指の表示面６１１における前記初期アイコンの表示位置からの移動が検出された場合に、前記初期アイコンに対する接触による操作が前記基準時間を超えて継続しなかったと判断する。
【００４９】
例えば、第２表示処理部５３は、前記初期画面に含まれる前記特定領域を予め定められた色で塗りつぶすことで、前記特定位置を視認可能に表示する。なお、第２表示処理部５３は、前記特定領域の色の濃さ、又は明るさを変化させて、前記特定位置を視認可能に表示してもよい。また、第２表示処理部５３は、前記特定領域に網掛けなどの処理を施すことで、前記特定位置を視認可能に表示してもよい。また、第２表示処理部５３は、前記特定領域のうえに予め定められた画像を重ねて表示することで、前記特定位置を視認可能に表示してもよい。
【００５０】
ここで、判定処理部５４は、第２表示処理部５３によって前記特定位置が視認可能に表示された後に、前記移動操作が行われたか否かを判定する。即ち、判定処理部５４は、第２表示処理部５３によって前記特定位置が視認可能に表示されてから、操作検出部６２によってユーザーの指が表示面６１１から離間したことが検出されるまでの間、前記移動操作が行われたか否かを判定する。
【００５１】
なお、制御部５は、第２表示処理部５３によって前記初期アイコンに対する接触による操作が前記基準時間を超えて継続しなかったと判断された場合、及び判定処理部５４によって前記移動操作が行われなかったと判定された場合は、前記初期アイコンへの操作が行われたと判断する。この場合、制御部５は、前記初期アイコンに対応する処理を実行する。具体的に、制御部５は、前記初期アイコンに対応する機能の設定画面を表示面６１１に表示する。
【００５２】
処理実行部５５は、判定処理部５４によって前記移動操作が行われたと判定された場合に、ユーザーの指と表示面６１１との接触位置が移動された前記特定位置に対応する特定処理を実行する。
【００５３】
例えば、画像処理装置１０では、前記初期画面に配置される前記初期アイコンに対応する機能に応じた一又は複数の前記特定処理が、前記初期画面に設けられた前記特定位置各々に対応付けられている。
【００５４】
例えば、前記特定処理は、前記初期アイコンに対応する機能の設定項目のうち、予め定められた設定項目を予め定められた内容に設定する処理を含む。また、前記特定処理は、前記初期アイコンに対応する機能を実行する処理を含む。
【００５５】
ここで、第２表示処理部５３は、前記初期アイコンに対する接触による操作が前記基準時間を超えて継続した場合に、前記初期画面に前記特定位置を視認可能に表示すると共に、前記特定位置に対応する前記特定処理を識別可能な処理識別情報を前記特定位置に表示する。
【００５６】
切替処理部５６は、処理実行部５５によって前記特定処理が実行された場合に、実行された前記特定処理に対応する前記特定位置とは異なる他の前記特定位置に対応する前記特定処理を、実行された前記特定処理に関連する処理に切り替える。
【００５７】
例えば、切替処理部５６は、処理実行部５５によって実行された前記特定処理が予め定められた関連処理と関連付けられている場合に、実行された前記特定処理に対応する前記特定位置とは異なる他の前記特定位置に対応する前記特定処理を前記関連処理に切り替える。なお、前記特定処理に関連付けられる前記関連処理は、操作表示部６に対するユーザーの操作に応じて任意に選択されてよい。
【００５８】
［機能設定処理］
以下、図６を参照しつつ、画像処理装置１０において制御部５により実行される機能設定処理の手順の一例と共に、本発明の処理実行方法について説明する。ここで、ステップＳ１１、Ｓ１２・・・は、制御部５により実行される処理手順（ステップ）の番号を表している。例えば、制御部５は、電源キー６３１の操作により前記動作モードが前記スリープモードから前記通常モードに切り替えられた場合に、前記機能設定処理を実行する。また、制御部５は、初期画面Ｇ１０（図４参照）において初期アイコンＡ１５が操作された場合、又は接続部８への外部記憶装置８１の接続が検出された場合に、前記機能設定処理を実行する。
【００５９】
＜ステップＳ１１＞
まず、ステップＳ１１において、制御部５は、表示部６１の表示面６１１に画像処理装置１０の機能の設定に関する前記初期アイコンを含む前記初期画面を表示する。ここに、ステップＳ１１の処理が、本発明における第１ステップの一例であって、制御部５の第１表示処理部５１により実行される。
【００６０】
例えば、制御部５は、前記動作モードの切り替えに応じて前記機能設定処理が実行された場合は、表示面６１１に初期アイコンＡ１１〜Ａ１５を含む初期画面Ｇ１０（図４参照）を表示する。
【００６１】
また、制御部５は、初期画面Ｇ１０における初期アイコンＡ１５の操作、又は接続部８への外部記憶装置８１の接続が検出に応じて前記機能設定処理が実行された場合は、表示面６１１にアイコンＡ２１〜Ａ２６を含む第２選択画面Ｇ２０（図５参照）を表示する。
【００６２】
＜ステップＳ１２＞
ステップＳ１２において、制御部５は、表示面６１１に表示された前記初期画面において前記初期アイコンに対する接触による操作が検出されたか否かを判断する。ここに、ステップＳ１２の処理が、本発明における第２ステップの一例であって、制御部５の検出処理部５２により実行される。
【００６３】
具体的に、制御部５は、操作検出部６２によるユーザーの指と表示面６１１との接触の有無及び接触位置の検出結果に基づいて、前記初期アイコンに対する接触による操作を検出する。
【００６４】
ここで、制御部５は、前記初期アイコンに対する接触による操作が検出されたと判断すると（Ｓ１２のＹｅｓ側）、処理をステップＳ１３に移行させる。また、前記初期アイコンに対する接触による操作が検出されていなければ（Ｓ１２のＮｏ側）、制御部５は、ステップＳ１２で前記初期アイコンに対する接触による操作の検出を待ち受ける。
【００６５】
＜ステップＳ１３＞
ステップＳ１３において、制御部５は、前記初期アイコンに対する接触による操作が前記基準時間を超えて継続したか否かを判断する。
【００６６】
具体的に、制御部５は、操作検出部６２によるユーザーの指と表示面６１１との接触の有無及び接触位置の検出結果に基づいて、前記初期アイコンに対する接触による操作が前記基準時間を超えて継続したか否かを判断する。例えば、制御部５は、前記基準時間が経過する前に、操作検出部６２によってユーザーの指の表示面６１１からの離間、又はユーザーの指の表示面６１１における前記初期アイコンの表示位置からの移動が検出された場合に、前記初期アイコンに対する接触による操作が前記基準時間を超えて継続しなかったと判断する。
【００６７】
ここで、制御部５は、前記初期アイコンに対する接触による操作が前記基準時間を超えて継続したと判断すると（Ｓ１３のＹｅｓ側）、処理をステップＳ１４に移行させる。また、制御部５は、前記初期アイコンに対する接触による操作が前記基準時間を超えて継続しなかったと判断すると（Ｓ１３のＮｏ側）、処理をステップＳ１３１に移行させる。
【００６８】
＜ステップＳ１３１＞
ステップＳ１３１において、制御部５は、ステップＳ１２で接触による操作が検出された前記初期アイコンに対応する処理を実行する。例えば、制御部５は、ステップＳ１２で接触による操作が検出された前記初期アイコンが初期画面Ｇ１０（図４参照）の初期アイコンＡ１１である場合は、表示面６１１に前記コピー設定画面を表示する。また、制御部５は、ステップＳ１２で接触による操作が検出された前記初期アイコンが第２選択画面Ｇ２０（図５参照）のアイコンＡ２１〜Ａ２６のいずれかである場合は、表示面６１１に前記外部メモリー設定画面を表示する。
【００６９】
＜ステップＳ１４＞
ステップＳ１４において、制御部５は、前記初期画面に前記特定位置を視認可能に表示する。ここで、ステップＳ１３及びステップＳ１４の処理は、制御部５の第２表示処理部５３により実行される。なお、ステップＳ１３及びステップＳ１４の処理は省略されてもよい。
【００７０】
例えば、制御部５は、前記初期画面に含まれる前記特定領域を予め定められた色で塗りつぶすことで、前記特定位置を視認可能に表示する。これにより、ユーザーは、前記初期画面における前記特定位置を把握することが可能である。
【００７１】
また、制御部５は、前記初期画面に前記特定位置を視認可能に表示すると共に、前記特定位置に対応する前記特定処理を識別可能な前記処理識別情報を前記特定位置に表示する。これにより、ユーザーは、前記特定位置に対応する前記特定処理を識別することが可能となる。
【００７２】
例えば、初期画面Ｇ１０（図４参照）の初期アイコンＡ１１に対する接触による操作が前記基準時間を超えて行われた場合、制御部５は、図７に示されるように、特定領域Ｇ１１〜Ｇ１４を識別可能に表示する。また、制御部５は、図７に示されるように、特定領域Ｇ１１〜Ｇ１４各々に対応する前記特定処理を識別可能な処理識別情報Ｇ１１１、処理識別情報Ｇ１２１、処理識別情報Ｇ１３１、及び処理識別情報Ｇ１４１を特定領域Ｇ１１〜Ｇ１４各々に表示する。
【００７３】
ここで、処理識別情報Ｇ１１１、処理識別情報Ｇ１２１、処理識別情報Ｇ１３１、及び処理識別情報Ｇ１４１によって識別される前記特定処理は、初期アイコンＡ１１に対応する前記コピー機能に関連する処理である。具体的に、処理識別情報Ｇ１１１によって識別される処理は、前記コピー機能を実行する処理である。また、処理識別情報Ｇ１２１によって識別される処理は、印刷部数の入力に用いられる入力欄を表示する処理である。また、処理識別情報Ｇ１３１によって識別される処理は、前記コピー機能の実行時に画像読取部２で読み取られた画像データを前記ボックスに格納する機能を有効に設定する処理である。また、処理識別情報Ｇ１４１によって識別される処理は、前記コピー機能の実行時における印刷色をモノクロに設定する処理である。
【００７４】
なお、制御部５は、初期画面Ｇ１０において初期アイコンＡ１１以外の前記初期アイコンに対して前記基準時間を超える接触による操作が行われた場合は、操作された前記初期アイコンに対応する機能に関連する前記特定処理を識別可能な前記処理識別情報を特定領域Ｇ１１〜Ｇ１４各々に表示する。
【００７５】
また、第２選択画面Ｇ２０（図５参照）のアイコンＡ２５に対する接触による操作が前記基準時間を超えて行われた場合、制御部５は、図９に示されるように、特定領域Ｇ２１〜Ｇ２４を識別可能に表示する。また、制御部５は、図９に示されるように、特定領域Ｇ２１〜Ｇ２４各々に対応する前記特定処理を識別可能な処理識別情報Ｇ２１１、処理識別情報Ｇ２２１、処理識別情報Ｇ２３１、及び処理識別情報Ｇ２４１を特定領域Ｇ２１〜Ｇ２４各々に表示する。
【００７６】
ここで、処理識別情報Ｇ２１１、処理識別情報Ｇ２２１、処理識別情報Ｇ２３１、及び処理識別情報Ｇ２４１によって識別される前記特定処理は、アイコンＡ２５に対応する前記外部メモリー機能に関連する処理である。具体的に、処理識別情報Ｇ２１１によって識別される処理は、画像データの出力方法を画像形成部３を用いた印刷に設定する処理である。また、処理識別情報Ｇ２２１によって識別される処理は、画像データの出力方法を外部の情報処理装置への送信に設定する処理である。また、処理識別情報Ｇ２３１によって識別される処理は、画像データの出力方法を前記ボックスへの格納に設定する処理である。また、処理識別情報Ｇ２４１によって識別される処理は、画像データを削除する処理である。
【００７７】
なお、第２選択画面Ｇ２０に配置されるアイコンＡ２１〜Ａ２６は、全て前記外部メモリー機能に対応するアイコンである。そのため、制御部５は、第２選択画面Ｇ２０においてアイコンＡ２５以外のアイコンに対して前記基準時間を超える接触による操作が行われた場合にも、特定領域Ｇ２１〜Ｇ２４各々に処理識別情報Ｇ２１１、処理識別情報Ｇ２２１、処理識別情報Ｇ２３１、及び処理識別情報Ｇ２４１を表示する。
【００７８】
＜ステップＳ１５＞
ステップＳ１５において、制御部５は、ユーザーの指と表示面６１１との接触位置を前記初期画面における前記特定位置に移動させる前記移動操作が行われたか否かを判定する。ここに、ステップＳ１５の処理が、本発明における第３ステップの一例であって、制御部５の判定処理部５４により実行される。
【００７９】
具体的に、制御部５は、操作検出部６２によるユーザーの指と表示面６１１との接触の有無及び接触位置の検出結果に基づいて、前記移動操作が行われたか否かを判断する。例えば、制御部５は、操作検出部６２によってユーザーの指の前記特定位置への移動が検出される前に、操作検出部６２によってユーザーの指の表示面６１１からの離間が検出された場合は、前記移動操作が行われなかったと判断する。
【００８０】
ここで、制御部５は、前記移動操作が行われたと判断すると（Ｓ１５のＹｅｓ側）、処理をステップＳ１６に移行させる。また、制御部５は、前記移動操作が行われなかったと判断すると（Ｓ１５のＮｏ側）、処理をステップＳ１３１へ移行させる。
【００８１】
＜ステップＳ１６＞
ステップＳ１６において、制御部５は、ユーザーの指と表示面６１１との接触位置が移動された前記特定位置に対応する前記特定処理を実行する。ここに、ステップＳ１６の処理が、本発明における第４ステップの一例であって、制御部５の処理実行部５５により実行される。
【００８２】
例えば、図８に示されるように、ユーザーの指Ｆと表示面６１１との接触位置を初期アイコンＡ１１の表示位置から特定領域Ｇ１１へ移動させる前記移動操作が行われた場合、制御部５は、処理識別情報Ｇ１１１によって識別される前記特定処理を実行する。即ち、制御部５は、前記コピー機能を実行する。なお、図８では、前記移動操作に応じて初期画面Ｇ１０上を移動される初期アイコンＡ１１が破線によって示されている。
【００８３】
また、図１０に示されるように、ユーザーの指Ｆと表示面６１１との接触位置をアイコンＡ２５の表示位置から特定領域Ｇ２３へ移動させる前記移動操作が行われた場合、制御部５は、処理識別情報Ｇ２３１によって識別される前記特定処理を実行する。即ち、制御部５は、アイコンＡ２５に対応する画像データの出力方法を前記ボックスへの格納に設定する。なお、図１０では、前記移動操作に応じて第２選択画面Ｇ２０上を移動されるアイコンＡ２５が破線によって示されている。
【００８４】
＜ステップＳ１７＞
ステップＳ１７において、制御部５は、ステップＳ１６で実行された前記特定処理に関連付けられた前記関連処理が存在するか否かを判断する。
【００８５】
ここで、制御部５は、ステップＳ１６で実行された前記特定処理に関連付けられた前記関連処理が存在すると判断すると（Ｓ１７のＹｅｓ側）、処理をステップＳ１８に移行させる。また、ステップＳ１６で実行された前記特定処理に関連付けられた前記関連処理が存在しなければ（Ｓ１７のＮｏ側）、制御部５は、前記機能設定処理を終了させる。
【００８６】
＜ステップＳ１８＞
ステップＳ１８において、制御部５は、ステップＳ１６で実行された前記特定処理に対応する前記特定位置とは異なる他の前記特定位置に対応する前記特定処理を、ステップＳ１６で実行された前記特定処理に関連付けられた前記関連処理に切り替える。ここで、ステップＳ１７及びステップＳ１８の処理は、制御部５の切替処理部５６により実行される。
【００８７】
例えば、図１０に示されるように、制御部５は、処理識別情報Ｇ２３１によって識別される前記特定処理が実行された後に、特定領域Ｇ２１、特定領域Ｇ２２、及び特定領域Ｇ２４各々に対応する前記特定処理を、処理識別情報Ｇ２３１によって識別される前記特定処理に関連付けられた前記関連処理に切り替える。また、制御部５は、切り替えられた前記特定処理を識別可能な処理識別情報Ｇ２１２、処理識別情報Ｇ２２２、及び処理識別情報Ｇ２４２を特定領域Ｇ２１、特定領域Ｇ２２、及び特定領域Ｇ２４各々に表示する。
【００８８】
ここで、処理識別情報Ｇ２１２、処理識別情報Ｇ２２２、及び処理識別情報Ｇ２４２によって識別される前記特定処理は、処理識別情報Ｇ２３１によって識別される前記特定処理に関連付けられた処理である。具体的に、処理識別情報Ｇ２１２によって識別される処理は、出力される画像データのデータ形式をＰＤＦ形式に設定する処理である。また、処理識別情報Ｇ２２２によって識別される処理は、前記ボックス機能を実行する処理である。また、処理識別情報Ｇ２４２によって識別される処理は、出力される画像データのデータ形式をＪＰＥＧ形式に設定する処理である。
【００８９】
その後、制御部５は、処理をステップＳ１５に移行させる。これにより、ユーザーは、表示面６１１に接触させた指を特定領域Ｇ２３から移動させることで、画像処理装置１０にステップＳ１８によって切り替えられた後の前記特定処理を続けて実行させることが可能である。例えば、図１１に示されるように、特定領域Ｇ２１への前記移動操作が行われた場合は、処理識別情報Ｇ２１２によって識別される前記特定処理が実行される（２回目のステップＳ１６）。また、処理識別情報Ｇ２１２によって識別される前記特定処理が実行された後に、特定領域Ｇ２３、及び特定領域Ｇ２４各々に対応する前記特定処理が、処理識別情報Ｇ２１２によって識別される前記特定処理に関連付けられた前記関連処理に切り替えられる。また、制御部５は、切り替えられた前記特定処理を識別可能な処理識別情報Ｇ２３２、及び処理識別情報Ｇ２４３を特定領域Ｇ２３、及び特定領域Ｇ２４各々に表示する（２回目のステップＳ１８）。
【００９０】
なお、図１０及び図１１で示される例では、特定領域Ｇ２２に処理識別情報Ｇ２２２によって識別される前記ボックス機能を実行する処理が固定で配置されている。この場合、例えば、ユーザーは、表示面６１１に接触させた指を第２選択画面Ｇ２０の特定領域Ｇ２１、特定領域Ｇ２３、及び特定領域Ｇ２４の間で移動させて必要な設定を行った後に、その指を特定領域Ｇ２２に移動させて前記ボックス機能の実行指示を入力することが可能である。また、制御部５は、ステップＳ１８の処理が一度実行された後に操作検出部６２によってユーザーの指の表示面６１１からの離間が検出された場合に、前記ボックス機能を実行してもよい。
【００９１】
このように、前記機能設定処理では、前記初期アイコンに対する接触による操作が検出された場合に、ユーザーの指と表示面６１１との接触位置を前記初期画面における前記特定位置に移動させる前記移動操作が行われたか否かが判定される。そして、前記移動操作が行われたと判定された場合には、前記特定位置に対応する前記特定処理が実行される。これにより、ユーザーは、前記コピー設定画面などの画像処理装置１０の機能の設定画面を経由することなく、機能の設定及び実行指示の入力を行うことが可能である。また、ユーザーは、表示面６１１に対する一度の操作で前記特定処理を実行することが可能である。従って、画像処理装置１０では、機能の設定又は実行指示の入力を行う際の操作性を向上させることが可能である。
【００９２】
また、前記機能設定処理では、前記特定処理に関連付けられた前記関連処理が存在する場合には、前記特定処理が実行された後に、実行された前記特定処理に対応する前記特定位置以外の前記特定位置に対応する前記特定処理が切り替えられる。これにより、ユーザーは、表示面６１１上で指を連続して移動させることで、複数の設定項目の設定、及び機能の実行指示の入力を行うことが可能である。
【符号の説明】
【００９３】
１    ＡＤＦ
２    画像読取部
３    画像形成部
４    給紙部
５    制御部
６    操作表示部
７    記憶部
８    接続部
１０  画像処理装置
５１  第１表示処理部
５２  検出処理部
５３  第２表示処理部
５４  判定処理部
５５  処理実行部
５６  切替処理部
６１  表示部
６２  操作検出部
８１  外部記憶装置
【図１】
2017157118.tif 000003
【図２】
2017157118.tif 000004
【図３】
2017157118.tif 000005
【図４】
2017157118.tif 000006
【図５】
2017157118.tif 000007
【図６】
2017157118.tif 000008
【図７】
2017157118.tif 000009
【図８】
2017157118.tif 000010
【図９】
2017157118.tif 000011
【図１０】
2017157118.tif 000012
【図１１】
2017157118.tif 000013